(57)【要約】【課題】団子その他の食品に綺麗な焼き色を付けることができ、かつ、食品への異物の混入を防止するのに好適で、更に、メンテナンス回数の削減を図ることも可能とした食品焼成機を提供する。【解決手段】食品焼成機は、団子Ｗその他の食品を焼くための焼き部２と、前記食品が焼き部２を通過するように当該食品を搬送する搬送部３と、を備える。搬送部３は、焼き部２の前後に位置する一対のギヤ４、５に掛け回して装着されたチェーン６と、チェーン６上に取り付けられて該チェーン６と一体に移動する複数の蓄熱板７と、複数の蓄熱板７とチェーン６からなる食品搬送ベルト８の表面全周に掛け回して着脱自在に装着されるとともに、前記食品が置かれるフッ素樹脂系素材の耐熱シートベルト９と、を備えて構成される。【選択図】図３
2014090904.tif 000002
【特許請求の範囲】
【請求項１】
団子その他の食品を焼くための焼き部と、
前記食品が前記焼き部を通過するように当該食品を搬送する搬送部と、を備えた食品焼成機であって、
前記搬送部は、
前記焼き部の前後に位置する一対のギヤに掛け回して装着されたチェーンと、
前記チェーン上に取り付けられて該チェーンと一体に移動する複数の蓄熱板と、
前記複数の蓄熱板と前記チェーンからなる食品搬送ベルトの表面全周に掛け回して着脱自在に装着されるとともに、前記食品が置かれるフッ素樹脂系素材の耐熱シートベルトと、を備えてなること
を特徴とする食品焼成機。
【請求項２】
前記食品焼成機は、
前記耐熱シートベルトの蛇行を修正する蛇行修正手段を備えること
を特徴とする請求項１に記載の食品焼成機。
【請求項３】
前記蛇行修正手段は、前記耐熱シートベルトを掛け回したフリーロール及び蛇行修正ロールを備え、
前記フリーロールは、前記耐熱シートベルトの幅方向移動に追従して同方向に移動可能に設けられるとともに、その移動方向がセンサで検知される構成になっており、
前記蛇行修正ロールは、前記センサで検知した前記フリーロールの移動方向とは反対側の耐熱シートベルト幅方向端部を張るように傾斜することで、前記耐熱シートベルトの蛇行を修正すること
を特徴とする請求項２に記載の食品焼成機。
【発明の詳細な説明】
【技術分野】
【０００１】
本発明は、団子その他の食品を焼くことによって食品に焼き色を付ける食品焼成機に関し、特に、団子その他の食品に綺麗な焼き色を付けることができ、また、食品への異物の混入を防止するのに好適で、更に、メンテナンス回数の削減を図ることも可能としたものである。
【背景技術】
【０００２】
従来、団子はその表面に焼き色を付けて販売されることが多く、この種の団子の表面に焼き色を付ける食品焼成機としては、例えば、特許文献１に開示の団子焼機が知られている。
【０００３】
同文献１の団子焼機は、団子を搬送する搬送部の具体的な構成として、金属無端ベルトを採用し、その金属無端ベルト上に団子を置き、該ベルトを走行させることにより、当該団子を焼き部に搬送している。
【０００４】
そして、前記焼き部では、通過する金属無端ベルトの上下両面側にヒータが設けられており、団子の上面は、上側のヒータの熱により、焼き色を付け、当該団子の下面は、下側のヒータで加熱された金属無端ベルトの熱によって、焼き色を付けている。
【０００５】
また、特許文献１の団子焼機では、金属無端ベルトの表面にフッ素樹脂のコーティングを施すことにより、団子の焦げ付きによる金属無端ベルト上への貼り付きを防止するようにしている。
【０００６】
ところで、団子に綺麗な焼き色を付けることが可能な温度は２１０℃前後である。しかし、特許文献１の団子焼機にあっては、前記のように金属無端ベルトの熱で団子の下面に焼き色を付けているが、かかる金属無端ベルトは、その板厚が比較的薄く、熱しやすく冷めやすいため、前記２１０℃前後の温度を維持することが困難であり、団子の下面に綺麗な焼き色を付けることができない。
【０００７】
また、この種の団子焼機における搬送部の他の構造例としては、先に説明した金属無端ベルトの代わりに、エンドレスのチェーン上に複数の蓄熱板（銅板）を取り付けた構造例も知られている。
【０００８】
しかしながら、前記のような蓄熱板を用いた搬送部の構造例では、蓄熱板の上に団子が置かれ、蓄熱板の熱によって団子の下面に焼き色が付けられるが、下記（１）−（３）のような問題点がある。
【０００９】
（１）  隣り合う２つの蓄熱板間の隙間にゴミや団子の焼きカス等の異物が入り込んで付着しやすく、そのように付着した異物が脱落して食品に混入するおそれがあり、食品衛生上好ましくない。
【００１０】
（２）  蓄熱板の上への団子の貼り付きを防止するために、蓄熱板の上に食品油を塗布しなければならず、食品油の塗布装置が別途必要になる。また、焼き部で団子に焼き色を付ける手段としてガスバーナーを使用する場合には、前記のように塗布した食品油が焦げカスとなって蓄熱板の上に貼り付き、貼り付いたカスが異物として団子に付着するといった不具合もある。
【００１１】
（３）  前記（１）のように蓄熱板間の隙間に付着した異物や、前記（２）のように蓄熱板の上に貼り付いたカスを取り除くために、蓄熱板を苛性ソーダで洗浄する等の定期的なメンテナンス作業を頻繁に行わなければならない。
【先行技術文献】
【特許文献】
【００１２】
【特許文献１】特開２００７−３１９６１７号公報
【発明の概要】
【発明が解決しようとする課題】
【００１３】
本発明は前記問題点を解決するためになされたものであり、その目的は、団子その他の食品に綺麗な焼き色を付けることができ、かつ、食品への異物の混入を防止するのに好適で、更に、メンテナンス回数の削減を図ることも可能とした食品焼成機を提供することである。
【課題を解決するための手段】
【００１４】
前記目的を達成するために、本発明は、団子その他の食品を焼くための焼き部と、前記食品が前記焼き部を通過するように当該食品を搬送する搬送部と、を備えた食品焼成機であって、前記搬送部は、前記焼き部の前後に位置する一対のギヤに掛け回して装着されたチェーンと、前記チェーン上に取り付けられて該チェーンと一体に移動する複数の蓄熱板と、前記複数の蓄熱板と前記チェーンからなる食品搬送ベルトの表面全周に掛け回して着脱自在に装着されるとともに、前記食品が置かれるフッ素系樹脂素材の耐熱シートベルトと、を備えてなることを特徴とするものである。
【００１５】
前記食品焼成機は、前記耐熱シートベルトの蛇行を修正する蛇行修正手段を備えることができる。
【００１６】
また、前記蛇行修正手段は、前記耐熱シートベルトを掛け回したフリーロール及び蛇行修正ロールを備え、前記フリーロールは、前記耐熱シートベルトの幅方向移動に追従して同方向に移動可能に設けられるとともに、その移動方向がセンサで検知される構成になっており、前記蛇行修正ロールは、前記センサで検知した前記フリーロールの移動方向に基づいて傾斜し、前記フリーロールの移動方向とは反対側の前記耐熱シートベルト幅方向端部を張ることにより、前記耐熱シートベルトの蛇行を修正するように構成することができる。
【発明の効果】
【００１７】
本発明にあっては、食品を搬送する搬送部の具体的な構成として、前記の通り、複数の蓄熱板を採用したため、それぞれの蓄熱板において、食品に綺麗な焼き色を付けるために必要な温度（例えば団子の場合は２１０℃前後）が維持され、かかる蓄熱板の熱により食品の下面に綺麗な焼き色を付けことができる。
【００１８】
また、本発明にあっては、食品を搬送する搬送部の具体的な構成として、複数の蓄熱板とチェーンからなる食品搬送ベルトの表面全周に、耐熱シートベルトを掛け回して着脱自在に装着する構成を採用した。このため、隣り合う２つの蓄熱板間の隙間は耐熱シートベルトで覆われることから、そのような隙間にゴミや食品の焼きカス等の異物が入り込んで付着するという不具合や、そのように付着した異物が脱落して食品に混入するという不具合が減り、食品への異物の混入を防止するのに好適である。
【００１９】
さらに、本発明によると、蓄熱板の上に食品が置かれるのではなく、当該食品はフッ素系樹脂素材の耐熱シートベルト上に置かれる構成を採用した。このため、蓄熱板に食品油を塗布することで蓄熱板への食品の貼り付きを防止する必要はない。また、耐熱シートベルトはフッ素系樹脂素材であるため、耐熱シートベルトへの食品の貼り付きは生ぜず、耐熱シートベルトへの食品の貼り付きを防止する手段として、食用油を耐熱シートベルトに塗布する必要もない。これらのことより、食品の貼り付き防止のために従来採用していた食用油の塗布を廃止することができ、よって、塗布した食用油が焦げカスとなって蓄熱板の上に貼り付いたり、貼り付いたカスが異物として食品に付着したりすることもない。
【００２０】
また、本発明によると、前記のように、耐熱シートベルトの採用によって蓄熱板間の隙間に異物が付着するという不具合が減ること、食用油の塗布の廃止によって蓄熱板の上にカスが付着するという不具合が生じないこと、及び、耐熱シートベルトへの食品の貼り付が生じないことから、例えば蓄熱板や耐熱シートベルト等を苛性ソーダで洗浄する等の定期的なメンテナンス回数を大幅に削減することができる。
【図面の簡単な説明】
【００２１】
【図１】図１は、本発明を適用した食品焼成機の正面図。
【図２】図２は、図１の食品焼成機を構成する焼き部の説明図。
【図３】図３は、図１の食品焼成機を構成する搬送部の説明図。
【図４】図４は、フリーロールと蛇行修正ロールを備えた蛇行修正手段による耐熱シートベルトの蛇行修正原理の説明図（図１の矢印Ａから見た状態）であって、同図（ａ）は耐熱シートベルトが蛇行していない状態（正常状態）におけるフリーロールと蛇行修正ロールとの位置関係を示し、同図（ｂ）は耐熱シートベルトが蛇行によりその幅方向（左方向）にずれたときのフリーロールと蛇行修正ロールとの位置関係を示し、同図（ｃ）は同図（ｂ）のような耐熱シートベルトの蛇行を修正するときの蛇行修正ロールの傾斜動作を示している。
【発明を実施するための最良の形態】
【００２２】
以下、本発明を実施するための最良の形態について、添付した図面を参照しながら詳細に説明する。
【００２３】
図１は、本発明を適用した食品焼成機の正面図、図２は、図１の食品焼成機を構成する焼き部の説明図、図３は、図１の食品焼成機を構成する搬送部の説明図である。
【００２４】
図１の食品焼成機１は、団子その他の団子Ｗを焼くための焼き部２と、その団子Ｗ（食品）が焼き部２を通過するように当該団子Ｗを搬送する搬送部３と、を備えている。
【００２５】
焼き部２は、図２に示したように、団子Ｗの上下面に焼き色を付けるための熱・火力源として、上下に対向する一対のガスバーナー２１、２２を備えており、これら一対のガスバーナー２１、２２間を団子Ｗが通過するように搬送される構成になっている。この種の熱・火力源としては、ガスバーナー２１、２２以外の手段、例えばニクロム線等の電熱線を採用することも可能である。なお、一対のガスバーナー２１、２２による団子Ｗへの焼き色の付き方については後述する。
【００２６】
搬送部３は、図３に示したように、焼き部２の前後に位置する一対のチェーン駆動ギヤ４、５に掛け回して装着されたチェーン６と、チェーン６上に取り付けられて該チェーン６と一体に移動する複数の蓄熱板７と、複数の蓄熱板７とチェーン６からなる食品搬送ベルト８の表面全周に掛け回して着脱自在に装着されるとともに、前記団子Ｗが置かれるフッ素系樹脂素材の耐熱シートベルト９と、を備えている。
【００２７】
前記チェーン６は並列に２本設けられており、これに合わせて、前記一対のチェーン駆動ギヤ４、５も２組設けられている。これらのチェーン駆動ギヤ４、５のうち、焼き部２の後段側に位置する２つのチェーン駆動ギヤ４は、第１の回転軸１０に取り付けられている一方、焼き部２の前段側に位置する２つのチェーン駆動ギヤ５は、第２の回転軸１１に取り付けられている。
【００２８】
耐熱シートベルト９のメンテナンス作業性の向上を図るため、前記第１及び第２の回転軸１０、１１はいずれも図１に示したフレームＦで片持ち支持した構造になっている。すなわち、第１及び第２の回転軸１０、１１の一端部側はベアリングを介してフレームＦで支持されているが、第１及び第２の回転軸１０、１１の他端部側はフレームＦによる支持のないフリーな自由端になっている。
【００２９】
なお、第１及び第２の回転軸１０、１１の両端部側をフレームＦで支持する構造も採用し得るが、この構造によると、第１及び第２の回転軸１０、１１の両端部のうち、いずれか一方の端部をフレームＦから切り離さないと、フレームＦが邪魔になって、耐熱シートベルト９を取り外すことができないため、耐熱シートベルト９のメンテナンス作業をスムーズに行うことができない。この一方、先に説明したように第１及び第２の回転軸１０、１１をフレームＦで片持ち支持した構造の場合には、第１及び第２の回転軸１０、１１の両端部のうち、フレームＦによる支持のないフリーな自由端側から、耐熱シートベルト９を容易に取り外すことができるので、耐熱シートベルト９のメンテナンス作業をスムーズに行うことが可能である。
【００３０】
前記第１の回転軸１０は、ギヤと駆動ベルトからなる動力伝達手段１２を介して、モータ１３に連結されている。モータ１３を起動すると、モータ動力が動力伝達手段１２を介して第１の回転軸１０に伝達され、第１の回転軸１０とこれに取り付けられているチェーン駆動ギヤ４が回転することにより、チェーン６と複数の蓄熱板７が焼き部２を通過するように周回移動する。
【００３１】
前記複数の蓄熱板７は前記２本のチェーン６を跨ぐようにして該チェーン６に取り付けられている。また、これら複数の蓄熱板７は、いずれも、チェーン６が１周する間に、焼き部２におけるガスバーナー２１、２２での加熱により温度の低下が防止され、２１０℃前後の温度を維持できる蓄熱能力を有する。蓄熱板７の熱によって団子に綺麗な焼き色を付ける場合は、２１０℃前後の温度が必要となるからである。このような蓄熱能力を備えた蓄熱板７の材質としては銅板が好適であるが、例えば鉄やステンレス材で蓄熱板７を形成することも可能である。
【００３２】
団子以外の食品では、前記のような２１０℃前後の温度を基準とした蓄熱板７の蓄熱能力に、過不足が生じる場合がある。蓄熱板７の熱で食品に綺麗な焼き色を付けることが可能な温度（蓄熱温度）は、食品に含まれる水分等の食品特性や、団子か、どら焼きか、等の食品種別に応じて異なるためである。したがって、蓄熱板７の蓄熱能力を特定するための基準の温度は、前述の２１０℃前後に限定されることはなく、食品の特性や種類に応じて適宜変更することができる。
【００３３】
前記耐熱シートベルト９はフッ素系樹脂素材であるため、そのベルト表面に食品剥離用の食用油を塗布しなくても、ベルト表面に団子が貼り付いてしまうことは殆どない。この種の耐熱シートベルト９としては、例えば、繊維で編んだベルト基材の表面にフッ素系樹脂をコーティングしたり、そのベルト基材にフッ素系樹脂を含浸させたりしたもの等を採用することができる。
【００３４】
本発明者は、図１の食品焼成機１におけるフッ素系樹脂素材の耐熱シートベルト９の一実施例として、中興ベルト株式会社製のフッ素樹脂ベルト（製品番号：ＨＧＦ−５００−６）を採用した。そして、図１の食品焼成機１を稼動し、食品の一例として団子に焼き色を付ける実験を行ったところ、ベルト表面への団子の貼り付きは殆ど生ぜず、ベルト表面からの団子の剥離は良好であった。
【００３５】
図１の食品焼成機１は、図３に示すように、更に、前記耐熱シートベルト９の蛇行を修正する手段（蛇行修正手段１４）を有しており、この蛇行修正手段１４は、耐熱シートベルト９を掛け回したフリーロール１５及び蛇行修正ロール１６を備えた構成になっている。
【００３６】
前記フリーロール１５は、チェーン６の下方に位置し、耐熱シートベルト９の幅方向移動に追従して同方向に移動可能に設けられるとともに、その移動方向がセンサＳで検知される構成になっている。
【００３７】
前記のようにフリーロール１５を移動可能とする具体的構成として、図１の食品焼成機１では、図３に示すように、耐熱シートベルト９がその幅方向にずれて蛇行したときの力をフリーロール端部のフランジ１５Ａ、１５Ａ（図４参照）で受け、受けた力によって該力の方向にフリーロール１５がその軸心をスライドするように構成したが、これ以外の構成によって前記のようにフリーロール１５を移動可能としてもよい。
【００３８】
前記フリーロール１５の移動方向を検知するセンサＳの具体的構成として、図１の食品焼成機１では、図３に示すように、フリーロール１５の両端側に近接センサＳ１を設置するとともに、フリーロール１５の両端に一体に取り付けた検知板１５Ｂがいずれか一方の近接センサＳ１に近づいたときに、その近づいた方の近接センサＳ１が反応して信号を出力し、かかる信号に基づいてフリーロール１５の移動方向を検知できるように構成したが、これ以外の別の構成でフリーロール１５の移動方向を検知してもよい。
【００３９】
前記蛇行修正ロール１６は、前記蛇行修正ロール１６をフリーロール１５の近傍に並べて配置されるとともに、前記センサＳ（Ｓ１）が検知したフリーロール１５の移動方向とは反対側の耐熱シートベルト９幅方向端部を張るように傾斜することで、耐熱シートベルト９の蛇行を修正するように構成してある。
【００４０】
前記蛇行修正ロール１６の傾斜を可能とする具体的構成として、図１の食品焼成機１においては、図３に示すように、蛇行修正ロール１６の長さ方向中央付近に揺動軸１７（図４参照）を設け、その揺動軸１７を介して蛇行修正ロール１６が耐熱シートベルト９の幅方向に対して所定の角度で傾斜できる構成、及び、蛇行修正ロール１６の一端部にリンク機構を介してモータを連結し、そのモータの力でリンク機構を介して蛇行修正ロール１６の一端部を上方に持ち上げたり下方に引き下げたりすることによって、蛇行修正ロール１６が前記のように傾斜するように構成したが、これ以外の別の構成で蛇行修正ロール１６を傾斜させる構成を採用してもよい。
【００４１】
図４は、フリーロール１５と蛇行修正ロール１６を備えた蛇行修正手段１４による耐熱シートベルト９の蛇行修正原理の説明図（図１矢印Ａから見た状態）である。ここで、同図（ａ）は耐熱シートベルト９が蛇行していない状態（正常状態）におけるフリーロール１５と蛇行修正ロール１６との位置関係を示している。また、同図（ｂ）は、耐熱シートベルト９が蛇行によりその幅方向（左方向）にずれたときのフリーロール１５と蛇行修正ロール１６との位置関係を示し、同図（ｃ）は、同図（ｂ）のような耐熱シートベルト９の蛇行を修正するときの蛇行修正ロール１６の傾斜動作を示している。
【００４２】
図１の食品焼成機１では、図４（ａ）のように耐熱シートベルト９が蛇行によるずれのない状態から、同図（ｂ）のように耐熱シートベルト９がその幅方向（左方向）にずれるように蛇行したとき、フリーロール１５が耐熱シートベルト９の幅方向（左方向）移動に追従して同方向（右方向）に移動する。
【００４３】
前記のようにフリーロール１５が移動すると、センサＳ（Ｓ１）がフリーロール１５の移動方向として右方向への移動を検知し、図４（ｃ）のように蛇行修正ロール１６がその移動方向（右方向）とは反対側（左側）の耐熱シートベルト幅方向端部（右端部）を張るように傾斜することで、図４（ｂ）のような耐熱シートベルト９のズレによる蛇行は修正され、当該耐熱シートベルト９は同図（ａ）のように蛇行によるズレのない正常状態に戻る。
【００４４】
図１の食品焼成機１は、また、耐熱シートベルト９に付着した団子の焼きカスを取り除くカス取り手段として、チェーン６の下方に刷毛２０を備えている。前述の通り、耐熱シートベルト９はフッ素系樹脂素材であるため、そのベルト表面への団子の付着や団子の焼きカスの付着は殆ど生じない。しかし、万一、そのような付着が発生した場合に、付着した団子や団子の焼きカスを耐熱シートベルトから速やかに取り除く手段として、前記刷毛２０のようなカス取り手段を設けておくことが、食品衛生上好ましい。
【００４５】
次に、前記のように構成された図１の食品焼成機１の動作について、図３を基に説明する。なお、以下の動作説明では、団子Ｗに焼き色を付ける動作について説明するが、団子Ｗ以外の食品に焼き色を付ける動作も同様である。
【００４６】
図１の食品焼成機１を使用して団子Ｗに焼き色を付ける場合は、最初に、ガスバーナー２１、２２を点火し、モータ１３を起動する。これにより、チェーン６と複数の蓄熱板７と耐熱シートベルト９が焼き部２を通過するように周回移動し、ガスバーナー２１、２２での加熱によって耐熱シートベルト９と蓄熱板７の温度が上昇する。
【００４７】
そして、蓄熱板７の表面温度が２１０℃前後で安定したら、焼き部２の前段側に位置するチェーン駆動ギヤ５側から、耐熱シートベルト９上に団子Ｗを１本ずつ置く。置かれた団子Ｗは、前記のようなチェーン６と複数の蓄熱板７と耐熱シートベルト９の周回移動によって、焼き部２に順次搬送され、焼き部２を通過した後、耐熱シートベルト９上から排出される。
【００４８】
前記のように団子Ｗが焼き部２を通過する際、団子Ｗの上面は、上側のガスバーナー２１による火力で焼かれて、綺麗な焼き色が付き、また、団子Ｗの下面は、耐熱シートベルト９の直下にある蓄熱板の熱（２１０℃前後）によって、綺麗な焼き色が付く。
【００４９】
以上説明したように、本実施形態の食品焼成機１では、団子を搬送する搬送部３の具体的な構成として、複数の蓄熱板７を採用したため、それぞれの蓄熱板７において、団子に綺麗な焼き色を付けるために必要な温度（２１０℃前後）が維持され、かかる蓄熱板７の熱により団子の下面に綺麗な焼き色を付けことができる。
【００５０】
また、本実施形態の食品焼成機１にあっては、団子を搬送する搬送部３の具体的な構成として、複数の蓄熱板７とチェーン６からなる食品搬送ベルト８の表面全周に、耐熱シートベルト９を掛け回して着脱自在に装着する構成を採用した。このため、隣り合う２つの蓄熱板７間の隙間は耐熱シートベルト９で覆われることから、そのような隙間にゴミや団子の焼きカス等の異物が入り込んで付着するという不具合や、そのように付着した異物が脱落して団子に混入するという不具合が減り、団子への異物の混入を防止するのに好適である。
【００５１】
さらに、本実施形態の食品焼成機１によると、蓄熱板７の上に団子が置かれるのではなく、当該団子はフッ素系樹脂素材の耐熱シートベルト９上に置かれる構成を採用した。このため、蓄熱板７に食品油を塗布することで蓄熱板７への食品の貼り付きを防止する必要はない。また、耐熱シートベルト９はフッ素系樹脂素材であるため、耐熱シートベルト９への団子の貼り付きは生ぜず、耐熱シートベルト９への団子の貼り付きを防止する手段として、食用油を耐熱シートベルト９に塗布する必要もない。これらのことより、団子の貼り付き防止のために従来採用していた食用油の塗布を廃止することができ、よって、塗布した食用油が焦げカスとなって蓄熱板７の上に貼り付いたり、貼り付いたカスが異物として団子に付着したりすることもない。
【００５２】
また、本実施形態の食品焼成機１によると、前記のように、耐熱シートベルト９の採用によって蓄熱板７間の隙間に異物が付着するという不具合が減ること、食用油の塗布の廃止によって蓄熱板７の上にカスが付着するという不具合が生じないこと、及び、耐熱シートベルト９への食品の貼り付が生じないことから、例えば蓄熱板７や耐熱シートベルト９等を苛性ソーダで洗浄する等の定期的なメンテナンス回数を大幅に削減することも可能である。
【００５３】
本発明は、以上説明した実施形態に限定されるものではなく、本発明の技術的思想内で当分野において通常の知識を有する者により多くの変形が可能である。特に、前記実施形態の食品焼成機１は、団子だけでなく、大福、どら焼き、煎餅、ハンバーグ等、各種食品に焼き色を付ける手段として利用することができる。
【符号の説明】
【００５４】
１  食品焼成機
２  焼き部
２１、２２  ガスバーナー
３  搬送部
４、５  チェーン駆動ギヤ
６  チェーン
７  蓄熱板
８  食品搬送ベルト
９  耐熱シートベルト
１０  第１の回転軸
１１  第２の回転軸
１２  動力伝達手段
１３  モータ
１４  蛇行修正手段
１５  フリーロール
１５Ａ  フランジ
１５Ｂ  検知板
１６  蛇行修正ロール
１７  揺動軸
２０  刷毛
Ｆ  フレーム
Ｓ  センサ
Ｓ１  近接センサ
Ｗ  団子（食品）
【図１】
2014090904.tif 000003
【図２】
2014090904.tif 000004
【図３】
2014090904.tif 000005
【図４】
2014090904.tif 000006